(57)【特許請求の範囲】
【請求項１】
戸板に埋設して固定されるカップであって、凹部を有する、カップと、
ランナに連結軸を介して連結されるハウジングであって、前記凹部に嵌合可能な嵌合アームを一体に有し、前記カップに嵌め込まれるハウジングと、
前記ハウジングに設けた軸孔に揺動自在に支承されるロックレバーであって、前記嵌合アームを把持する把持部を有しており、前記嵌合アームが前記凹部に嵌合される固定姿勢と、前記嵌合アームが前記凹部から離脱する解除姿勢と、の間で揺動されるようになっている、ロックレバーと、を備え、
前記ロックレバーは、前記嵌合アームが前記凹部に嵌合された固定姿勢にとどまる方向に付勢するバネ構造をさらに一体に有している、ハウジングの取付構造。
【請求項２】
前記ハウジングの前記嵌合アームは、前記連結軸に近い側から前記戸板の端面側に向かって、かつ、斜め下に向かって、延びている、請求項１に記載された、ハウジングの取付構造。
【請求項３】
前記ロックレバーは、前記ロックレバーが固定姿勢から解除姿勢まで揺動される際に、前記カップを奥側に押し込むように作動する押込み部をさらに一体に有している、請求項１又は請求項２に記載された、ハウジングの取付構造。
【請求項４】
前記嵌合アームは、弾性変形可能に構成されており、解除姿勢から固定姿勢に戻るように付勢するようになっている、請求項１乃至請求項３のいずれか一項に記載された、ハウジングの取付構造。
【請求項５】
前記ロックレバーは、前記ロックレバーを揺動させるために外部から指を掛けることのできる指掛け部をさらに一体に有しており、前記軸孔は前記指掛け部よりも下方に位置している、請求項１乃至請求項４のいずれか一項に記載された、ハウジングの取付構造。
【発明の詳細な説明】
【技術分野】
【０００１】
本発明は、戸板に固定されるカップにハウジングを取り付けるための、ハウジングの取付構造に関するものである。
【背景技術】
【０００２】
従来から、吊戸や折戸をガイドレールに沿ってスライド移動させる建具用ランナが知られている。建具用ランナでは、一般に、戸板にカップを固定し、カップに対してハウジング（ホルダ部材）を取り付けるようになっている。
【０００３】
ところが、一旦、カップに対して取付・固定したハウジングを、取り外すことが必要な場合がある。具体的には、取付後に裏面の壁紙を貼りたい場合や、建具用ランナが故障した場合に、ハウジングをカップから離脱させる必要が生じる。
【０００４】
例えば、特許文献１の建具用ランナでは、カップにホルダ部材（ハウジングに相当）を嵌め込むようになっており、ハウジング下部に設けた係合爪が、カップの底面に設けた係合角孔に掛止されることで、両者が互いに固定されるようになっている。この建具用ランナでは、ハウジングと一体に形成された着脱レバーを、指で上方に持ち上げることによって、係合を解除するようになっている。
【先行技術文献】
【特許文献】
【０００５】
【特許文献１】特開２０００−２４８８１９号公報
【発明の概要】
【発明が解決しようとする課題】
【０００６】
しかしながら、前述した特許文献１の建具用ランナでは、合成樹脂製のハウジングの一部を着脱レバーとして形成しているため、着脱する際に着脱レバーを大きく揺動させることができなかった。そのため、ハウジングをカップに強く固定しようとすれば、着脱する際にも強い力が必要となり、容易に着脱できるものではなかった。
【０００７】
そこで、本発明は、ハウジングをカップに強固に固定しつつ、容易に着脱することのできる、ハウジングの取付構造を提供することを目的としている。
【課題を解決するための手段】
【０００８】
前記目的を達成するために、本発明のハウジングの取付構造は、戸板に埋設して固定されるカップであって、凹部を有する、カップと、ランナに連結軸を介して連結されるハウジングであって、前記凹部に嵌合可能な嵌合アームを一体に有し、前記カップに嵌め込まれるハウジングと、前記ハウジングに設けた軸孔に揺動自在に支承されるロックレバーであって、前記嵌合アームを把持する把持部を有しており、前記嵌合アームが前記凹部に嵌合される固定姿勢と、前記嵌合アームが前記凹部から離脱する解除姿勢と、の間で揺動されるようになっている、ロックレバーと、を備えている。
【発明の効果】
【０００９】
このように、本発明のハウジングの取付構造は、凹部を有するカップと、凹部に嵌合可能な嵌合アームを一体に有し、カップに嵌め込まれるハウジングと、嵌合アームが凹部に嵌合される固定姿勢と、嵌合アームが凹部から離脱する解除姿勢と、の間で揺動されるようになっている、ロックレバーと、を備えている。このような構成であれば、ハウジングをカップに強固に固定しつつ、容易に着脱することのできる、ハウジングの取付構造となる。
【図面の簡単な説明】
【００１０】
【図１】ハウジングの取付構造を含む吊戸の全体構成を説明する斜視図である。
【図２】カップとハウジングの構成を説明する斜視図である。
【図３】カップとハウジングの構成を分解して説明する部品図である。
【図４】嵌合ツメが固定位置にある状態のカップとハウジングの説明図である。（ａ）は断面図であり、（ｂ）は側面図である。
【図５】嵌合ツメが解除位置にある状態のカップとハウジングの説明図である。（ａ）は断面図であり、（ｂ）は側面図である。
【図６】図４（ａ）のＡ部を拡大して示す拡大断面図である。
【図７】図５（ｂ）のＢ部を拡大して示す拡大側面図である。
【図８】把持部の構成を説明する説明図である。（ａ）は正面図であり、（ｂ）は（ａ）のＡ−Ａ断面図であり、（ｃ）は（ａ）のＢ−Ｂ断面図である。
【図９】ハウジングの取付構造の作用を説明する作用図である。（ａ）は固定姿勢であり、（ｂ）は解除姿勢である。
【図１０】ロックが未達の状態の外観を示す作用図である。
【発明を実施するための形態】
【００１１】
以下、本発明の実施の形態について図面を参照して説明する。ただし、以下の実施例に記載されている構成要素は例示であり、本発明の技術範囲をそれらのみに限定する趣旨のものではない。
【実施例】
【００１２】
まず、図１を用いて本発明のハウジングの取付構造Ｓを備える、吊り戸Ｈの全体構成を説明する。吊り戸Ｈは、図１に示すように、戸枠（不図示）に固定されるガイドレール８と、このガイドレール８内を走行する車輪３１〜３４を有するランナ３が取り付けられる戸板９と、によって構成される。つまり、ランナ３は連結軸５を介してハウジング２に取り付けられ、ハウジング２はカップ１を介して戸板９に取り付けられることによって、ランナ３が戸板９に取り付けられている。
【００１３】
カップ１は、図２、図３に示すように、戸板９の上角部の木口に形成されたＵ字形断面の埋設溝９１に嵌合・固定される、全体として断面Ｕ字形のカップ状の本体部１０を有している。カップ１は、例えば、亜鉛合金のダイカストによって一体に成形されている。また、カップ１は、戸板９の木口に面する上部および外端部が開口されている。さらに、カップ１の底部には、中央からやや外端寄りの位置に、後述するハウジング２の嵌合アーム２２が嵌合する凹部１１が形成されている。カップ１は、妻壁および底部が、それぞれ木ネジ１２、１２、１３によって、戸板９に固定されている。
【００１４】
そして、カップ１には、外端部側からスライドするようにしてハウジング２が嵌め込まれている。カップ１とハウジング２は、ロックレバー４の揺動動作によって、固定姿勢（スライド不可能な状態）と解除姿勢（スライド可能な状態）を切り替えられるようになっている。すなわち、ロックレバー４を固定姿勢と解除姿勢との間で揺動されることによって、きわめて容易にハウジング２をカップ１に対して固定したり、固定を解除したり、できるようになっている。この点については後に詳述する。
【００１５】
ハウジング２は、図２、図３に示すように、カップ１の外端部の開口からスライド挿入される外枠をなす外枠部２０と、前後調整ネジ６２及び上下調整ネジ６３を保持する内枠部２１と、を備えており、合成樹脂により一体に射出成形されている。すなわち、外枠部２０は、カップ１の内面形状に対応して形成されており、カップ１の外端部側を通じてスライド移動できるようになっている。
【００１６】
さらに、ここでは詳述しないが、ハウジング２の内枠部２１は、連結軸５の前後方向（戸板９のスライド方向）の位置を調整する前後調整ネジ６２と、連結軸５の上下方向の位置を調整する上下調整ネジ６３と、を備えている。前後調整ネジ６２は、偏心カム機構となっており、水平方向からドライバーによって正逆回転させることによって、相対的に連結軸５が前後に移動するようになっている。上下調整ネジ６３は、ネジ嵌合されており、水平方向からドライバーによって正逆回転させることで、相対的に連結軸５が上下するようになっている。
【００１７】
そして、ハウジング２の外枠部２０の左右の側壁の下部には、両側面を貫通する軸孔２０ａが設けられている。そして、この軸孔２０ａに、ハウジング２のカップ１への係合状態をＯＮ/ＯＦＦ切り替えするための、ロックレバー４が揺動軸６１を介して支承されている。
【００１８】
さらに、ハウジング２の外枠部２０の下部には、ロックレバー４が揺動する際に、ロックレバー４と外枠部２０が接触（干渉）しないように、空間を有している。すなわち、ハウジング２の外端部側の下部には、ロックレバー４が収納され、かつ、ロックレバー４が揺動（回転）するために必要な空間が形成されている。
【００１９】
そして、本実施例のハウジング２は、カップ１に設けられた凹部１１に嵌合可能な嵌合アーム２２を一体に有している。嵌合アーム２２は、先端部に下方に突出するＴ字部（凹部１１に嵌入する）を有し、全体として棒状に形成されており、ハウジング２の外枠部２０の下部から外端部側に突出するように形成される。より詳しく言うと、嵌合アーム２２は、連結軸５に近い側（図４中右側）から、戸板９の端面側（図４中左側）に向かって、かつ、斜め下方に向かって伸びている。さらに、嵌合アーム２２は、比較的に薄く、弾性変形するように形成されている。
【００２０】
そして、嵌合アーム２２の先端は、ロックレバー４の把持部４１に上下から把持（挟持）されている。したがって、ロックレバー４が（図４中）左回りに揺動されることによって、嵌合アーム２２は連結軸５に近い側を支点として右回りに回転（弾性変形）することになる。逆にロックレバー４が右回りに戻されることによって、嵌合アーム２２は連結軸５に近い側を支点として左回りに回転することになる。
【００２１】
そして、本実施例のロックレバー４は、図３−図５に示すように、合成樹脂によって概略Ｌ字状に一体成形されるものである。より具体的に言うと、ロックレバー４は、概略Ｌ字状の本体部４０と、本体部４０のＬ字の一方の辺（横）の基端部側に設けられる軸孔４５と、Ｌ字の一方の辺（横）に嵌合アーム２２の先端部を上下から把持する把持部４１と、Ｌ字の他方の辺（縦）に形成される指掛け部４４と、を備えている。
【００２２】
把持部４１は、Ｌ字の一方の辺（横）の先端近傍に形成される。そして、把持部４１は、通常の固定姿勢（図４）では、嵌合アーム２２を自然な形状に保持して、嵌合アーム２２をカップ１の凹部１１に嵌合させ、揺動された解除姿勢（図５）では、上方に回転されることで、嵌合アーム２２を弾性変形して、嵌合アーム２２をカップ１の凹部１１との嵌合が外れた状態にさせる。このような把持部４１の移動及び嵌合アーム２２の変形によって、カップ１とハウジング２のロックがＯＮ／ＯＦＦされるようになっている。
【００２３】
指掛け部４４は、Ｌ字の他方の辺（縦）に形成される。そして、この指掛け部４４に指を掛けて手前（やや斜め下方向）に引くことによって、ロックレバー４が通常の固定姿勢から解除姿勢へと揺動（回転）されるようになっている。すなわち、指掛け部４４は、軸孔４５（揺動軸６１）との関係では、把持部４１（及び嵌合アーム２２）の反対側に配置されており、指掛け部４４を下方に移動すると、把持部４１（及び嵌合アーム２２）は上方に移動するようになっている。
【００２４】
ここで、図８（ａ）〜（ｃ）を用いて、把持部４１と嵌合アーム２２の位置関係について説明する。図８（ｂ）、（ｃ）に示すように、嵌合アーム２２は、把持部４１によって上下両方から挟まれており、上下両方向に連動するようにされている。より具体的に言えば、把持部４１は、紙面に垂直な方向（すなわち戸のスライド方向に垂直な方向）で見た場合に、中央の下受け部４１ａと、左右両脇の上受け部４１ｂ、４１ｂと、から構成されている。他方で、嵌合アーム２２の先端は、中央の上受け部２２ａと、両脇の下受け部２２ｂ、２２ｂと、から構成されている。
【００２５】
そして、把持部４１の下受け部４１ａが、嵌合アーム２２の上受け部２２ａの下に挿入されるとともに、把持部４１の上受け部４１ｂ、４１ｂが、嵌合アーム２２の下受け部２２ｂ、２２ｂの上に挿入されている。すなわち、把持部４１と嵌合アーム２２の先端とは、互いに上下両方向に噛み合っている。
【００２６】
したがって、図８（ｂ）に示すように、ロックレバー４が解除方向（図中、左回り）に揺動されたときには、把持部４１の下受け部４１ａが嵌合アーム２２の上受け部２２ａを持ち上げることで、凹部１１から離脱させる。逆に、図８（ｃ）に示すように、ロックレバー４が固定方向（右回り）に揺動されたときには、把持部４１の上受け部４１ｂが嵌合アーム２２の下受け部２２ｂを押し下げることで、凹部１１に嵌入させる。
【００２７】
このようにして、ロックレバー４の揺動動作と嵌合アーム２２の離脱／嵌入とが互いに両方向に連動するようになっている。なお、把持部４１と嵌合アーム２２の先端は、完全に嵌合する必要はなく、両者間に適切な遊び（遊間）があってもよい。
【００２８】
加えて、本実施例のロックレバー４は、嵌合アーム２２が凹部１１に嵌合された固定姿勢にとどまる方向に付勢するバネ構造４３と、ロックレバー４が揺動される際に、カップ１を奥側に押し込むように作動する押込み部４６と、をさらに備えている。
【００２９】
バネ構造４３は、Ｌ字の他方の辺（縦）の下部から一方の辺（横）と平行に伸びる板バネ状の部材である。すなわち、バネ構造４３は、弾性変形しやすいように薄く形成されており、嵌合アーム２２と略平行に伸びている。さらに、バネ構造４３の先端は、反力壁となるハウジング２の外枠部２０と点接触するように、上向きに突出する突出部を有している。
【００３０】
そして、本実施例のバネ構造４３は、ハウジング２の内部に配置された状態で、少し曲げられた状態で配置されている（無理に嵌め込まれている）。すなわち、バネ構造４３は、ロックレバー４が固定姿勢にある状態で、ロックレバー４全体を固定姿勢にとどめる方向に付勢する。（もちろん、バネ構造４３は、ロックレバー４が解除姿勢にある状態でも、ロックレバー４全体を固定姿勢に戻す方向に付勢する。）
【００３１】
押込み部４６は、ロックレバー４の他方の辺（縦）の下端部に配置されている。すなわち、押込み部４６は、軸孔４５（揺動軸６１）よりも下にあるため、上にある指掛け部４４を下に引くことで、カップ１を押し込む方向に揺動することになる。ところが、カップ１は戸板９に固定されて動かないため、逆に、ロックレバー４及びこれと連結されたハウジング２が手前側に引き抜かれる方向に移動することになる。
【００３２】
（作用）
次に、図４〜図９を用いて、実施例のハウジングの取付構造Ｓの作用について説明する。まず、固定姿勢は、図４（ａ）、（ｂ）に示すように、ハウジング２の嵌合アーム２２が、カップ１の凹部１１に嵌合している状態である。さらに、ロックレバー４もハウジング２に軸支されているため、結局は、ハウジング２がカップ１に相対的にスライド移動できなくなっている。この状態では、ロックレバー４は、バネ構造４３によって図４では右回りに−嵌合アーム２２が凹部１１に嵌合する方向に−付勢されているため、ロックレバー４を強制的に揺動させない限りは、固定姿勢が維持されることになる。
【００３３】
つまり、図６に示すように、バネ構造４３は、少し曲げられた状態で（弾性変形しており）、先端がハウジング２と接触しているため、先端にはハウジング２から下向きの抗力（弾性力の反力）を受けている。そうすると、ロックレバー４が全体として、ハウジング２から下向きに抗力を受けることになり、嵌合アーム２２も凹部１１に嵌入する方向に力を受けていることになる。
【００３４】
次に、解除姿勢は、図５（ａ）、（ｂ）に示すように、指掛け部４４に指を掛けてロックレバー４を揺動させることで、ハウジング２の嵌合アーム２２を押し上げるため、ハウジング２の嵌合アーム２２が、カップ１の凹部１１から離脱している状態である。さらに、ロックレバー４もハウジング２に軸支されているため、結局は、ハウジング２がカップ１に相対的にスライド移動できるようになっている。この状態でも、ロックレバー４は、バネ構造４３によって図４では右回りに−嵌合アーム２２が凹部１１に嵌合する方向に−付勢されている。加えて、解除姿勢では、嵌合アーム２２自体も弾性変形されており、ロックレバー４を固定姿勢に戻る方向に付勢している。
【００３５】
図７に示すように、解除姿勢では、バネ構造４３は、大きく曲げられた状態で（弾性変形しており）、先端がハウジング２と接触しているため、先端にはハウジング２から比較的に大きい下向きの抗力（弾性力の反力）を受けている。したがって、ロックレバー４は、この抗力に対抗するように、大きい力で下向きに引き下げる必要があるが、軸孔４５（揺動軸６１）と指掛け部４４が離れているため、てこの原理によって、大きな力は必要ではない。
【００３６】
さらに言うと、解除姿勢のロックレバー４（の指掛け部４４）から指を離しても、ハウジング２（及びロックレバー４）はすでに手前側に移動しているため、再び凹部１１と嵌合することはない。つまり、ロックレバー４の下端部の押込み部４６によってカップ１を押し込むことで、指を掛ける１つの動作によって、ロックを解除する機能と、手前に引き出す機能と、が同時並行的に実行される。
【００３７】
このように、図９（ａ）、（ｂ）に示すように、ロックレバー４（の指掛け部４４）に指を掛けて手前に倒す動作によって、ハウジング２のカップ１に対する固定姿勢の解除と、ハウジング２のカップ１からの外端面側への移動と、の２つの作用を実現することができる。
【００３８】
一方で、嵌合アーム２２のロックが未達の状態では、嵌合アーム２２と互いに連動するロックレバー４は固定姿勢に戻らない（図５参照）。換言すると、嵌合アーム２２のＴ字部が凹部１１に嵌合していなければ、嵌合アーム２２と連動して揺動するロックレバー４も固定姿勢までは揺動しない。すなわち、ロックレバー４は、固定姿勢まで戻ることなく、固定姿勢の手前の姿勢で静止する。つまり、嵌合アーム２２のロックが未達の場合には、ロックレバー４の上部（指掛け部４４）は、ハウジング２の端面からはみ出すことになる。このように、ロックが未達となっていることが、戸の外観として視認できる。そして、ロックの未達を視認した後には、再度、ロックレバー４を揺動させる等すれば、固定姿勢に戻すことができる。
【００３９】
（効果）
次に、実施例のハウジングの取付構造Ｓの奏する効果を列挙して説明する。
【００４０】
（１）上述してきたように、実施例のハウジングの取付構造Ｓは、凹部１１を有するカップ１と、凹部１１に嵌合可能な嵌合アーム２２を一体に有し、カップ１に嵌め込まれるハウジング２と、嵌合アーム２２が凹部１１に嵌合される固定姿勢と、嵌合アーム２２が凹部１１から離脱する解除姿勢と、の間で揺動されるようになっている、ロックレバー４と、を備えている。このような構成であれば、ハウジング２をカップ１に強固に固定しつつ、容易に着脱することのできる、ハウジングの取付構造Ｓとなる。つまり、ハウジングの取付構造Ｓは、ロックレバー４の揺動を介して、固定姿勢と解除姿勢とを容易に切り替えることができるようになっている。さらに、このハウジングの取付構造Ｓは、カップ１、ハウジング２、ロックレバー４のみから構成される、部品点数のきわめて少ないシンプルな構造である。
【００４１】
特に、図８（ａ）〜（ｃ）に示すように、ハウジングの取付構造Ｓにおいて、ロックレバー４は、嵌合アーム２２の先端を把持する把持部４１を備えることによって、ロックレバー４と嵌合アーム２２とが、上下両方向に連動するようになっている。したがって、嵌合アーム２２が凹部１１に嵌り込まずに、ロックが未達の場合には、ロックレバー４が固定姿勢（待機状態）に戻らないため（＝少し突出した姿勢となる）、ロックが未達となっていることが、戸の外観として視認できる（図１０参照）。
【００４２】
（２）また、ハウジング２の嵌合アーム２２は、連結軸５に近い側から戸板９の端面側に向かって、かつ、斜め下に向かって、延びているため、連結軸５から端面側に力を受けた場合でも、嵌合アーム２２が凹部１１に没入するようになる。このため、戸板９を閉めた際の勢い（慣性力）によって、カップ１からハウジング２が誤って外れることを防止できる。
【００４３】
（３）また、ロックレバー４は、ロックレバー４が固定姿勢から解除姿勢まで揺動される際に、カップ１を奥側に押し込むように作動する押込み部４６をさらに一体に有しているため、ロックレバー４を揺動させる１つの動作によって、ハウジング２を手前に引き出すことができる。
【００４４】
（４）さらに、ロックレバー４は、嵌合アーム２２が凹部１１に嵌合された固定姿勢にとどまる方向に付勢するバネ構造４３をさらに一体に有しているため、通常の状態では、ロックレバー４は固定位置にとどまることができる。この場合、付勢力を大きくしても、そのまま解除動作の抗力になるものではないため、付勢力を大きくすることができる。
【００４５】
（５）また、嵌合アーム２２は、それ自体が弾性変形可能に構成されており、解除姿勢から固定姿勢に戻るように付勢するようになっているため、自然な状態ではロックレバー４を固定姿勢に保持することができる。さらに、ロックレバー４のバネ構造４３と協働して付勢するため、双方の部材厚保をより薄く弾性変形しやすく構成できる。
【００４６】
（６）さらに、ロックレバー４は、ロックレバー４を揺動させるために外部から指を掛けることのできる指掛け部４４をさらに一体に有しており、軸孔２０ａは指掛け部４４よりも下方に位置しているため下向きに指を掛けて揺動させることができる。さらに、この力の向きであれば、吊り戸Ｈを吊っている状態に対向する方向であるから、戸板９を押さえておく必要がない。
【００４７】
なお、この他の構成および作用効果については、前記実施の形態と略同様であるため説明を省略する。
【００４８】
以上、図面を参照して、本発明の実施例を詳述してきたが、具体的な構成は、この実施例に限らず、本発明の要旨を逸脱しない程度の設計的変更は、本発明に含まれる。
【符号の説明】
【００４９】
１      ：カップ
１０    ：本体部
１１    ：凹部
１２    ：木ネジ
１３    ：木ネジ
２      ：ハウジング
２０    ：外枠部
２０ａ  ：軸孔
２１    ：内枠部
２２    ：嵌合アーム
２２ａ  ：上受け部
２２ｂ  ：下受け部
３      ：ランナ
３１    ：車輪
３２    ：車輪
３３    ：車輪
３４    ：車輪
４      ：ロックレバー
４０    ：本体部
４１    ：把持部
４１ａ  ：下受け部
４１ｂ  ：上受け部
４３    ：バネ構造
４４    ：指掛け部
４５    ：軸孔
４６    ：押込み部
５      ：連結軸
６１    ：揺動軸
６２    ：前後調整ネジ
６３    ：上下調整ネジ
８      ：ガイドレール
９      ：戸板
９１    ：埋設溝
Ｈ      ：吊り戸
Ｓ      ：ハウジングの取付構造
【要約】
【課題】ハウジングをカップに強固に固定しつつ、容易に着脱することのできる、ハウジングの取付構造を提供する。
【解決手段】ハウジングの取付構造１は、凹部１１を有するカップ１と、凹部１１に嵌合可能な嵌合アーム２２を一体に有し、カップ１に嵌め込まれるハウジング２と、ハウジング２に支承されるロックレバー４であって、嵌合アーム２２が凹部１１に嵌合される固定姿勢と、嵌合アーム２２が凹部１１から離脱する解除姿勢と、の間で揺動されるようになっている、ロックレバー４と、を備えている。
【選択図】図１【図１】
0006951604.tif 000002
【図２】
0006951604.tif 000003
【図３】
0006951604.tif 000004
【図４】
0006951604.tif 000005
【図５】
0006951604.tif 000006
【図６】
0006951604.tif 000007
【図７】
0006951604.tif 000008
【図８】
0006951604.tif 000009
【図９】
0006951604.tif 000010
【図１０】
0006951604.tif 000011